(57)【特許請求の範囲】
【請求項１】
店舗内に設置された遊戯機毎に、所定の売上情報及び払出情報を集計するデータ集計装置であって、
前記遊戯機の筐体内に設置され、該遊戯機における売上情報及び払出情報を集計する、無線通信機能を有しない本体ユニットと、
前記遊戯機の筐体外に設置されるとともに前記本体ユニットに対し電気的に接続され、当該集計した売上情報及び払出情報を前記店舗内の所定の通信機器へ無線通信により送信する通信ユニットと、
を備えることを特徴とするデータ集計装置。
【請求項２】
前記本体ユニットに設けられる全ての回路の動作周波数が、前記通信ユニットにおける無線通信のための高周波回路の動作周波数より低いものとし、該高周波回路を前記本体ユニットから分離させていることを特徴とする、請求項１に記載のデータ集計装置。
【請求項３】
前記本体ユニットは内蔵する電池式電源により電源供給されるとともに、前記通信ユニットが該電池式電源により電源供給されるよう構成されていることを特徴とする、請求項１又は２に記載のデータ集計装置。
【請求項４】
前記本体ユニットは、
前記遊戯機の筐体内にて、前記遊戯機の制御部と着脱可能に接続する入出力部と、
前記入出力部における接続状態を監視する接続監視部と、
前記接続監視部による接続状態の監視を経て、当該接続の解除を検知した際に所定の記憶部にその旨を記録するか、又は前記通信ユニットを経て前記店舗内の所定の通信機器へ無線通信により送信するよう制御する制御手段と、
を備えることを特徴とする、請求項１から３のいずれか一項に記載のデータ集計装置。
【請求項５】
前記本体ユニットは、設置される当該遊戯機に関するサービス情報について、前記通信ユニットを経て、当該遊戯機を利用可能なユーザが管理する移動端末に告知するよう制御するサービス告知処理手段を更に備えることを特徴とする、請求項１から４のいずれか一項に記載のデータ集計装置。
【請求項６】
請求項１から５のいずれか一項に記載のデータ集計装置から無線通信を経て当該集計された売上情報及び払出情報を収集するデータ収集装置であって、
前記データ集計装置から無線通信を経て遊戯機毎に当該集計された売上情報及び払出情報のデータを収集する集計データ収集手段と、
外部供給電源と、
前記外部供給電源が断絶した際に、一定期間、電源供給を行う電池式電源と、
当該遊戯機毎の収集したデータを記録しておくための常設の記憶手段と、
前記記憶手段、及び着脱可能な外部メディアに当該遊戯機毎の収集したデータを記録するよう制御する記録制御手段と、
を備えることを特徴とするデータ収集装置。
【請求項７】
店舗内に設置された遊戯機毎に、所定の売上情報及び払出情報を集計し収集するデータ集計システムであって、
請求項１から５のいずれか一項に記載のデータ集計装置と、
請求項６に記載のデータ収集装置と、
前記データ集計装置により集計した売上情報及び払出情報をマルチホップ通信で前記データ収集装置へ中継する中継機と、
を備えることを特徴とするデータ集計システム。
【請求項８】
前記中継機は、
当該集計した売上情報及び払出情報の中継を行う度に、当該集計した売上情報及び払出情報を記録しておくための常設の記憶手段と、
該記憶手段、及び着脱可能な外部メディアに該当該集計した売上情報及び払出情報を記録するよう制御する記録制御手段と、
を備えることを特徴とする、請求項７に記載のデータ集計システム。
【発明の詳細な説明】
【技術分野】
【０００１】
本発明は、店舗内に設置された遊戯機毎に、コイン（硬貨）やメダル等の投入に基づく売上情報及び当該コインやメダル、或いは景品等の払出しに基づく払出情報を集計するデータ集計装置、遊戯機毎に集計した売上情報及び払出情報を収集するデータ収集装置、及び、そのデータ収集システムに関する。
【背景技術】
【０００２】
一般的に、ゲームセンターや遊園地などのアミューズメント施設には、コイン（硬貨）やメダルを投入してゲームを行う遊戯機が設置されている。そして、このような遊戯機には、当該コインやメダル、或いは景品等の払出しを行うものもある。
【０００３】
このため、このような遊戯機が設けられているアミューズメント施設を運営する運営者は、店舗内に設置された遊戯機毎に、コイン（硬貨）やメダル等の投入に基づく売上情報及び当該コインやメダル、或いは景品等の払出しに基づく払出情報を集計する必要がある。
【０００４】
そこで、主に、コイン（硬貨）やメダルに関する売上情報及び払出情報の収集に関する技法ではあるが、店舗内の遊戯機毎に、売上情報及び払出情報を集計するデータ集計装置を設け、電波を用いて各データ集計装置の売上情報及び払出情報を収集するデータ収集装置を当該店舗内に設ける技法が知られている（例えば、特許文献１参照）。
【０００５】
特許文献１の技法では、各遊戯機の売上情報及び払出情報をデータ集計装置で集計し、マルチホップ通信でデータ収集装置へ伝送し、データ収集装置により売上情報及び払出情報を収集するようにしている。
【０００６】
これにより、各遊戯機が当該店舗における様々な箇所に設置され、さらには、メダル貸出機や自動販売機等の障害物が多数存在し、上記障害物によって通信を妨害され、遊戯機毎の遊戯媒体のデータ収集ができない場合でも、その障害物による通信妨害を低減可能としている。
【先行技術文献】
【特許文献】
【０００７】
【特許文献１】特許第５２０２７４４号公報
【発明の概要】
【発明が解決しようとする課題】
【０００８】
上述した特許文献１の技法でも知られるように、各遊戯機の売上情報及び払出情報をデータ集計装置で集計し、マルチホップ通信でデータ収集装置へ伝送し、データ収集装置により売上情報及び払出情報を収集することで、電波障害の影響を低減させ、効率よく各遊戯機の売上情報及び払出情報を収集することができる。
【０００９】
しかしながら、データ集計装置からデータ収集装置へ電波でデータ通信を行う従来技法では、遊戯機の筐体が金属製のものが多く電波が遮蔽されてしまうことから、電波による通信を行うデータ集計装置を遊戯機の筐体内へ設置しようとしても、当該電波が遊戯機の筐体の外部へ出ないか、又は出にくいことがある。このため、特許文献１に開示されるマルチホップ通信でデータ通信を行う技法においても、当該データ集計装置を遊戯機内へ設置するときの設置場所が制限されてしまい、場合によっては設置できないという問題がある。
【００１０】
また、従来技法における電波でデータ通信を行うデータ集計装置は、そのデータ通信のためのアンテナ（例えばマイクロストリップラインによる平面アンテナ等）に対する変調器や検波器、フィルタや増幅器等の高周波回路と、遊戯機の売上情報及び払出情報を集計する回路とを一体的に配線する構造となっているため、データ集計装置全体を高周波回路の基板で構成する必要があり、そのコストが高くなるという問題がある。
【００１１】
従って、設置場所が制限されず低廉化が可能となる態様で、各遊戯機の売上情報及び払出情報をデータ集計装置で集計し、データ収集装置へ伝送し、データ収集装置により売上情報及び払出情報を収集する技法が望まれる。
【００１２】
更に改善が要望される問題点として、以下のような問題がある。
【００１３】
まず、従来技法における電波でデータ通信を行うデータ集計装置は、その電源供給を遊戯機本体から得る構造となっており、遊戯機に対するデータ集計装置の取り付けの作業性が悪いという問題もある。
【００１４】
また、従来技法における電波でデータ通信を行うデータ集計装置では、遊戯機からの電源供給が故障等で断絶すると、当該データ集計装置も動作しなくなり、遊戯機が動作するにも関わらず集計できなくなるという問題や、集計したデータをデータ収集装置により収集できなくなるという問題もある。
【００１５】
従って、より好適に、遊戯機からの電源供給に依存しない態様で、各遊戯機の売上情報及び払出情報をデータ集計装置で集計し、データ収集装置へ伝送し、データ収集装置により売上情報及び払出情報を収集する技法が望まれる。
【００１６】
本発明は、上述の問題に鑑みて、設置場所が制限されず低廉化が可能となる態様で、より好適には遊戯機からの電源供給に依存しない態様で遊戯機へ設置可能な、所定の売上情報及び払出情報を集計するデータ集計装置、遊戯機毎に集計した売上情報及び払出情報を収集するデータ収集装置、及び、そのデータ収集システムを提供することにある。
【課題を解決するための手段】
【００１７】
本発明のデータ集計装置は、店舗内に設置された遊戯機毎に、所定の売上情報及び払出情報を集計するデータ集計装置であって、前記遊戯機の筐体内に設置され、該遊戯機における売上情報及び払出情報を集計する、無線通信機能を有しない本体ユニットと、前記遊戯機の筐体外に設置されるとともに前記本体ユニットに対し電気的に接続され、当該集計した売上情報及び払出情報を前記店舗内の所定の通信機器へ無線通信により送信する通信ユニットと、を備えることを特徴とする。
【００１８】
また、本発明のデータ集計装置において、前記本体ユニットに設けられる全ての回路の動作周波数が、前記通信ユニットにおける無線通信のための高周波回路の動作周波数より低いものとし、該高周波回路を前記本体ユニットから分離させていることを特徴とする。
【００１９】
また、本発明のデータ集計装置において、前記本体ユニットは内蔵する電池式電源により電源供給されるとともに、前記通信ユニットが該電池式電源により電源供給されるよう構成されていることを特徴とする。
【００２０】
また、本発明のデータ集計装置において、前記本体ユニットは、前記遊戯機の筐体内にて、前記遊戯機の制御部と着脱可能に接続する入出力部と、前記入出力部における接続状態を監視する接続監視部と、前記接続監視部による接続状態の監視を経て、当該接続の解除を検知した際に所定の記憶部にその旨を記録するか、又は前記通信ユニットを経て前記店舗内の所定の通信機器へ無線通信により送信するよう制御する制御手段と、を備えることを特徴とする。
【００２１】
また、本発明のデータ集計装置において、前記本体ユニットは、設置される当該遊戯機に関するサービス情報について、前記通信ユニットを経て、当該遊戯機を利用可能なユーザが管理する移動端末に告知するよう制御するサービス告知処理手段を更に備えることを特徴とする。
【００２２】
更に、本発明のデータ収集装置は、本発明のデータ集計装置から無線通信を経て当該集計された売上情報及び払出情報を収集するデータ収集装置であって、前記データ集計装置から無線通信を経て遊戯機毎に当該集計された売上情報及び払出情報のデータを収集する集計データ収集手段と、外部供給電源と、前記外部供給電源が断絶した際に、一定期間、電源供給を行う電池式電源と、当該遊戯機毎の収集したデータを記録しておくための常設の記憶手段と、前記記憶手段、及び着脱可能な外部メディアに当該遊戯機毎の収集したデータを記録するよう制御する記録制御手段と、を備えることを特徴とする。
【００２３】
更に、本発明のデータ集計システムは、店舗内に設置された遊戯機毎に、所定の売上情報及び払出情報を集計し収集するデータ集計システムであって、本発明のデータ集計装置と、本発明のデータ収集装置と、前記データ集計装置により集計した売上情報及び払出情報をマルチホップ通信で前記データ収集装置へ中継する中継機と、を備えることを特徴とする。
【００２４】
また、本発明のデータ集計システムにおいて、前記中継機は、当該集計した売上情報及び払出情報の中継を行う度に、当該集計した売上情報及び払出情報を記録しておくための常設の記憶手段と、該記憶手段、及び着脱可能な外部メディアに該当該集計した売上情報及び払出情報を記録するよう制御する記録制御手段と、を備えることを特徴とする。
【発明の効果】
【００２５】
本発明によれば、電波でデータ通信を行うことができ、所定の売上情報及び払出情報を集計するデータ集計装置を設置場所が制限されず低廉化が可能となる態様で遊戯機へ設置できる。また、マルチホップ通信によるデータ伝送も可能となる。
【００２６】
また、本発明によれば、当該データ集計装置を遊戯機からの電源供給に依存しない態様で遊戯機へ設置でき、データの保全性を向上させることができる。
【００２７】
また、本発明によれば、当該データ集計装置の取り外しを監視するよう構成することで、不正行為に対して予防する効果を持たせることができる。
【図面の簡単な説明】
【００２８】
【図１】本発明による一実施形態のデータ収集システムの概略構成を示す図である。
【図２】本発明による一実施形態のデータ収集システムにおけるデータ集計装置の概略構成を示すブロック図である。
【図３】本発明による一実施形態のデータ収集システムにおける中継機の概略構成を示すブロック図である。
【図４】本発明による一実施形態のデータ収集システムにおけるデータ収集装置の概略構成を示すブロック図である。
【図５】本発明による一実施形態のデータ収集システムの動作例を示すフローチャートである。
【発明を実施するための形態】
【００２９】
以下、図面を参照して、本発明による一実施形態のデータ集計装置１、データ収集装置５、及びデータ収集システム１０について説明する。
【００３０】
（データ収集システム）
図１は、本発明による一実施形態のデータ収集システム１０の概略構成を示す図である。データ収集システム１０は、１台以上の遊戯機１００‐Ｎ（Ｎは１以上の整数）の各々に対し設置されるデータ集計装置１と、１台以上の中継機３と、１台のデータ収集装置５とを備える。図１に示す例では、遊戯機１００‐Ｎが設置される店舗内に、データ集計装置１及び中継機３が配設され、データ収集装置５は店舗外へ設置する例を示しているが、データ収集装置５を当該店舗内へ設置することもできる。また、当該ネットワーク７上で、専用のサーバー（図示せず）を設置し、この専用のサーバーから店舗内又は店舗外に設置されるデータ収集装置５と無線又は有線で通信接続する形態とすることもできる。
【００３１】
データ集計装置１は、１台の遊戯機１００‐Ｎに少なくとも１つ設置され、設置した遊戯機１００‐Ｎにおけるコイン（硬貨）やメダル等の投入に基づく売上情報及び当該コインやメダル、或いは景品等の払出しに基づく払出情報を集計し電波でデータ通信を行う装置である。このようなデータ集計装置１は、既存のゲーム機では、遊戯機１００‐Ｎにおける硬貨やコインの投入口、遊戯機１００‐Ｎの基板、当該払出しを検知するセンサー近傍、或いは遊戯機１００‐Ｎが持つ集計用の電磁カウンタ近傍等に設置可能である。データ集計装置１は、中継機３と無線で相互通信可能であり（図示ａ１の通信経路）、更には店舗従業員が管理するスマートホンやタブレットなどの店舗用移動端末２と無線で相互通信可能である（図示ｂ４の通信経路）。また、本実施形態におけるデータ集計装置１は、遊戯機１００‐Ｎの遊戯に関するサービス情報を告知するため、利用者が管理するスマートホンやタブレットなどのユーザ用移動端末４と無線で相互通信可能となっている（図示ｃ１の通信経路）。そして、データ集計装置１には、固有ＩＤ番号が割り当てられ、データ収集装置５によって管理することができる。
【００３２】
中継機３は、データ集計装置１が集計した当該売上情報及び払出情報をデータ収集装置５や店舗用移動端末２へ転送するための装置である。中継機３は、複数台の中継機３が設置されるとは、それぞれ他の中継機３とマルチホップ通信可能に構成される（図示ａ２の通信経路）。また、中継機３は、当該売上情報及び払出情報をデータ収集装置５へ伝送するために、データ収集装置５が店舗内にあるときなどでは、直接的にデータ収集装置５と無線で相互通信可能となっており（図示ａ３の通信経路）、或いは、電話網（携帯電話網を含む）などのネットワーク７を経て、間接的にデータ収集装置５と無線で相互通信可能となっている（図示ｂ１，ｂ２の通信経路）。また、中継機３は、当該売上情報及び払出情報を店舗用移動端末２へ伝送する場合にも、直接的に又は間接的に、店舗用移動端末２と無線で相互通信可能となっている（図示ａ４，或いはｂ２，ｂ３の通信経路）。
【００３３】
データ収集装置５は、遊戯機毎にデータ集計装置１によって集計した売上情報及び払出情報を収集する装置である。データ収集装置５は、図１に示す例では店舗外へ設置する例を示しているが、データ収集装置５を当該店舗内へ設置することもできる。データ収集装置５は、上述したように、直接的に又は間接的に、中継機３と無線で相互通信可能となっており、更には、ネットワーク７を経て、店舗用移動端末２と有線又は無線で相互通信可能となっている（図示ｂ１，ｂ３の通信経路）。そして、データ集計装置１には固有ＩＤ番号が割り当てられているため、データ収集装置５は、遊戯機１００‐Ｎに設置されているデータ集計装置１を識別して、遊戯機毎の売上情報及び払出情報の集計データを収集し、管理することができる。
【００３４】
このように、本実施形態のデータ収集システム１０は、１台以上の遊戯機１００‐Ｎの各々に対し設置されるデータ集計装置１により集計した各遊戯機１００‐Ｎの売上情報及び払出情報を、マルチホップ通信機能を有する中継機３を経て、データ収集装置５により集計するとともに、各データ集計装置１が集計した売上情報及び払出情報を店舗用移動端末２により受信可能とし、より好適にはデータ収集装置５の制御下で、各データ集計装置１が所定のサービス情報をユーザ用移動端末４へ告知可能となっている。
【００３５】
以下、より具体的に、データ集計装置１、中継機３、及びデータ収集装置５の構成について順に説明する。
【００３６】
（データ集計装置）
図２は、本発明による一実施形態のデータ収集システム１０におけるデータ集計装置１の概略構成を示すブロック図である。データ集計装置１は、本体ユニット１ａ及び通信ユニット１ｂを備える。本体ユニット１ａは遊戯機１００‐Ｎの筐体内に設置されるが、通信ユニット１ｂは遊戯機１００‐Ｎの筐体外に設置される。そして、本体ユニット１ａ及び通信ユニット１ｂはそれぞれ電気的にコネクタを介して接続される機器内通信インターフェースを実現するコネクタ等のインターフェース（ＩＦ）部１５，１６で接続される。そして、本体ユニット１ａは電池式電源１９により電源供給されるとともに、通信ユニット１ｂはインターフェース（ＩＦ）部１５，１６を経て、当該電池式電源１９から電源供給される。
【００３７】
尚、遊戯機１００‐Ｎは、一般的なゲーム機と同様の遊戯機制御装置１０１を備えており、遊戯機制御装置１０１は、制御部１０２、課金機構１０３、及び払出機構１０４を備える。課金機構１０３は、コイン（硬貨）やメダルの投入口から投入される当該コイン（硬貨）やメダルを識別し対応する売上情報を生成して制御部１０２に通知する機構部である。また、払出機構１０４は、当該コインやメダル、或いは景品等の払出しを識別し対応する払出情報を生成して制御部１０２に通知する機構部である。制御部１０２は、当該課金機構１０３から通知された売上情報及び払出情報をその都度、本体ユニット１ａに出力する。
【００３８】
本体ユニット１ａは、中央制御部１１、入出力部１２、売上情報集計部１３、払出情報集計部１４、ＩＦ部１５、接続監視部１６、記憶部１７、サービス告知処理部１８、及び電池式電源１９を備える。本体ユニット１ａは、主として、遊戯機の売上情報及び払出情報を集計する低周波回路で構成される。
【００３９】
中央制御部１１は、中央演算処理ユニット（ＣＰＵ）で構成することができ、記憶部１７の所定の格納領域に格納されているプログラムを読み出して実行することで、本体ユニット１ａにおける各機能部を機能させる。
【００４０】
入出力部１２は、中央制御部１１の制御下で、遊戯機制御装置１０１における制御部１０２からの売上情報及び払出情報の入力が監視され、売上情報及び払出情報が入力されると、それぞれ売上情報集計部１３及び払出情報集計部１４へ出力する。
【００４１】
売上情報集計部１３は、中央制御部１１の制御下で、入出力部１２を経て売上情報が入力される度に集計し、その集計結果を記憶部１７の所定の格納領域に記録する。
【００４２】
払出情報集計部１４は、中央制御部１１の制御下で、入出力部１２を経て払出情報が入力される度に集計し、その集計結果を記憶部１７の所定の格納領域に記録する。
【００４３】
ＩＦ部１５は、通信ユニット１ｂにおけるＩＦ部１６と機器内通信を可能とする態様で電気的にコネクタを介して接続される機器内通信インターフェースである。
【００４４】
接続監視部１６は、中央制御部１１の制御下で、遊戯機制御装置１０１における制御部１０２と入出力部１２との物理的な接続が維持されているか否かを監視し、この接続の解除を検知した場合には、その日時（日付だけでもよい）の情報を接続解除情報として記憶部１７の所定の格納領域に記録する。より好適には、接続監視部１６は、当該接続の解除を検知した場合には、直ちに、通信ユニット１ｂを経て中継機３又は店舗用移動端末２、或いはデータ集計装置１へその接続解除情報を通知する。
【００４５】
サービス告知処理部１８は、当該遊戯機１００‐Ｎの遊戯に関するサービス情報を告知するため、利用者が管理するスマートホンやタブレットなどのユーザ用移動端末４に対し、通信ユニット１ｂを経て近距離通信により通知する。このサービス情報は、データ収集装置５によって遊戯機毎に管理及び設定することができ、中央制御部１１の制御下で、サービス告知処理部１８がデータ収集装置５からサービス情報を受け付けると、そのサービス情報に対応する制御を行うよう遊戯機制御装置１０１における制御部１０２へ指示する。当該指示を受け付けた遊戯機制御装置１０１における制御部１０２は、当該サービス情報に対応するサービスを当該ユーザ用移動端末４に対し実行する。
【００４６】
このようなサービス情報の例として、当該ユーザ用移動端末４に対し、例えば当該遊戯機にて１回分無料の遊戯を提供するなどとすることができる。このようなサービスの提供に際し、サービス告知処理部１８は、中央制御部１１の制御下で、当該ユーザ用移動端末４に対する認証及び検証の処理を実行する。尚、当該ユーザ用移動端末４は、当該サービス情報の受け付けを許容するアプリケーションが実装されているものとする。
【００４７】
電池式電源１９は、本体ユニット１ａの機能部へ電源供給するとともに、ＩＦ部１５，１６を経て、通信ユニット１ｂの機能部へ電源供給する。
【００４８】
通信ユニット１ｂは、中央制御部２１、通信制御部２２、近距離通信部２３、回線網通信部２４、ＩＦ部２５、及び記憶部２６を備える。通信ユニット１ｂは、主として、データ通信のためのアンテナ（例えばマイクロストリップラインによる平面アンテナ等）に対する変調器や検波器、フィルタや増幅器等の高周波回路を備えるよう構成され、このような高周波回路を本体ユニット１ａから分離させている。
【００４９】
中央制御部２１は、中央演算処理ユニット（ＣＰＵ）で構成することができ、記憶部２６の所定の格納領域に格納されているプログラムを読み出して実行することで、通信ユニット１ｂにおける各機能部を機能させる。
【００５０】
通信制御部２２は、近距離通信部２３又は回線網通信部２４により、中継機３を経てデータ収集装置５から売上情報及び払出情報の集計データに関する集計データ収集要求を受け付けたとき、或いは、店舗用移動端末２から直接的に、又は中継機３を経て間接的に売上情報及び払出情報の集計データに関する集計データ取得要求を受け付けたとき、中央制御部２１の制御下で、当該通信を確立した状態で、ＩＦ部２５、及び本体ユニット１ａにおけるＩＦ部１５を経て、その旨を本体ユニット１ａにおける中央制御部１１へ通知し、中央制御部１１の制御下で記憶部１７の所定の格納領域に記録されている売上情報及び払出情報の集計データを読み出させ、ＩＦ部２５、及び本体ユニット１ａにおけるＩＦ部１５を経て取得し、当該通信を確立した状態に対応する近距離通信部２３又は回線網通信部２４を制御して、売上情報及び払出情報の集計データを返信する。
【００５１】
尚、通信制御部２２は、近距離通信部２３又は回線網通信部２４により、中継機３を経てデータ収集装置５から、上述したサービス情報の設定を受け付けたとき、同様に中央制御部２１の制御下で、当該通信を確立した状態で、ＩＦ部２５、及び本体ユニット１ａにおけるＩＦ部１５を経て、その旨を本体ユニット１ａにおける中央制御部１１へ通知し、中央制御部１１の制御下で、本体ユニット１ａにおけるサービス告知処理部１８の機能を実行させる。そして、本体ユニット１ａにおけるサービス告知処理部１８の機能により、当該サービス情報の受け付けを許容するユーザ用移動端末４は、当該サービス情報の告知を受けるとともに、当該サービスを受けるための認証・検証が実行される。
【００５２】
近距離通信部２３は、図示しないアンテナを介して近距離通信を行うための変調器や検波器、フィルタや増幅器等の高周波回路で構成され、通信制御部２２によって制御される。
【００５３】
回線網通信部２４は、図示しないアンテナを介して回線網通信を行うための変調器や検波器、フィルタや増幅器等の高周波回路で構成され、通信制御部２２によって制御される。
【００５４】
ＩＦ部２５は、本体ユニット１ａにおけるＩＦ部１５と機器内通信を可能とする態様で電気的にコネクタを介して接続される機器内通信インターフェースである。
【００５５】
（中継機）
図３は、本発明による一実施形態のデータ収集システム１０における中継機３の概略構成を示すブロック図である。中継機３は、中央制御部３１、通信制御部３２、回線網通信部３３、マルチホップ通信制御部３４、近距離通信部３５、通信履歴記録部３６、記憶部３７、外部メディア記録部３８、外部供給電源３９、及び電池式電源４０を備える。
【００５６】
中央制御部３１は、中央演算処理ユニット（ＣＰＵ）で構成することができ、記憶部３７の所定の格納領域に格納されているプログラムを読み出して実行することで、中継機３における各機能部を機能させる。
【００５７】
通信制御部３２は、回線網通信部３３により、ネットワーク７を経て、データ収集装置５から売上情報及び払出情報の集計データに関する集計データ収集要求を受け付けたとき、或いは、店舗用移動端末２から売上情報及び払出情報の集計データに関する集計データ取得要求を受け付けたとき、中央制御部３１の制御下で、当該通信を確立した状態で回線網通信部３３からその旨を対応するデータ集計装置１へ通知するか、又はマルチホップ通信制御部３４を機能させて近距離通信部３５からその旨を対応するデータ集計装置１へ通知し、当該データ集計装置１からの応答を待機する。また、通信制御部３２は、中央制御部３１の制御下で、当該データ集計装置１からの応答を経て、当該集計データ収集要求又は当該集計データ取得要求に対応する売上情報及び払出情報の集計データを取得した際には、当該通信を確立した状態で回線網通信部３３を制御して、又はマルチホップ通信制御部３４を機能させて近距離通信部３５を制御して、売上情報及び払出情報の集計データを返信する。
【００５８】
回線網通信部３３は、図示しないアンテナを介して回線網通信を行うための変調器や検波器、フィルタや増幅器等の高周波回路で構成され、通信制御部３２によって制御される。
【００５９】
マルチホップ通信制御部３４は、中央制御部３１の制御下で、当該近距離通信を制御するとともに、他の中継機３と複数の通信路を構成するマルチホップ通信を制御する機能部である。これにより、電波状態の悪化などにより、一時的に無線通信ができなくなる場合でも、通信経路を確保できる。
【００６０】
近距離通信部３５は、図示しないアンテナを介して近距離通信を行うための変調器や検波器、フィルタや増幅器等の高周波回路で構成され、マルチホップ通信制御部３４によって制御される。
【００６１】
尚、通信制御部３２及びマルチホップ通信制御部３４により通信され、当該中継機３が介在する度に通信履歴記録部３６が機能する。
【００６２】
通信履歴記録部３６は、通信制御部３２及びマルチホップ通信制御部３４により通信され、当該中継機３が介在する度に、中央制御部３１の制御下で、当該通信日時の情報や売上情報及び払出情報の集計データが通信履歴情報として記憶部３７の所定の格納領域、及び外部メディア記録部３８によってＳＤカードなどの外部メディアに格納される。外部メディアは取り出せる構造になっている。これにより中継機３の故障などに備え、蓄積したデータをパソコンなどに移行することを可能となる。
【００６３】
従って、データ収集装置５及び店舗用移動端末２は、随意、中継機３と通信し、当該通信履歴情報を取得することができる。
【００６４】
外部メディア記録部３８は、中央制御部３１の制御下で、当該通信履歴記録部３６の動作に並行して、ＳＤカードなどの外部メディアに対し、当該通信日時の情報や売上情報及び払出情報の集計データが通信履歴情報として記録する。
【００６５】
外部供給電源３９は、外部のＡＣ電源を直流源に変換し中継機３の機能部へ電源供給する。
【００６６】
電池式電源４０は、外部供給電源３９の補助電源として機能し、外部供給電源３９による電源供給が遮断された時に、一定時間電源を供給する。これにより、電池式として、電源供給の断絶リスクを低減することが可能となる。
【００６７】
（データ収集装置）
図４は、本発明による一実施形態のデータ収集システム１０におけるデータ収集装置５の概略構成を示すブロック図である。データ収集装置５は、中央制御部５１、通信制御部５２、回線網通信部５３、近距離通信部５４、集計データ収集部５５、サービス設定部５６、記憶部５７、外部メディア記録部５８、外部供給電源５９、及び電池式電源６０を備える。
【００６８】
中央制御部５１は、中央演算処理ユニット（ＣＰＵ）で構成することができ、記憶部５７の所定の格納領域に格納されているプログラムを読み出して実行することで、データ収集装置５における各機能部を機能させる。
【００６９】
通信制御部５２は、中央制御部５１の制御下で、図示しない操作部から操作者の指示を受け付けるか、或いは定期的な自動制御で、回線網通信部５３によりネットワーク７を経て中継機３経由で、或いは近距離通信部５４により中継機３経由で通信を確立し、全てのデータ集計装置１或いは指定するデータ集計装置１に対し、売上情報及び払出情報の集計データに関する集計データ収集要求を発行し、当該データ集計装置１からの応答を待機する。
【００７０】
また、通信制御部５２は、中央制御部５１の制御下で、当該データ集計装置１からの応答を経て、当該集計データ収集要求に対応する売上情報及び払出情報の集計データを取得した際には、当該通信を確立した状態で回線網通信部５３或いは近距離通信部５４を制御して、売上情報及び払出情報の集計データを取得し、集計データ収集部５５を機能させる。集計データ収集部５５は、取得した売上情報及び払出情報の集計データを収集し、所定のフォーマットの収集記録データを生成し、記憶部５７の所定の格納領域へ格納する。
【００７１】
また、通信制御部５２は、中央制御部５１の制御下で、回線網通信部５３によりネットワーク７を経て、或いは近距離通信部５４により直接的に、店舗用移動端末２から収集した売上情報及び払出情報の集計データに関する取得要求を受け付けた際には、集計データ収集部５５を機能させ、記憶部５７からこの取得要求時点で収集されている売上情報及び払出情報の集計データを読み出させ、当該通信を確立した状態で回線網通信部３３或いは近距離通信部５４を制御して、店舗用移動端末２へ返信する。
【００７２】
回線網通信部５３は、図示しないアンテナ又は通信インターフェースを介して回線網通信を行うための変調器や検波器、フィルタや増幅器等の高周波回路で構成され、通信制御部５２によって制御される。
【００７３】
近距離通信部５４は、図示しないアンテナを介して近距離通信を行うための変調器や検波器、フィルタや増幅器等の高周波回路で構成され、通信制御部５２によって制御される。
【００７４】
集計データ収集部５５は、中央制御部５１の制御下で、通信制御部５２の制御により当該集計データ収集要求を経て取得した売上情報及び払出情報の集計データを収集し、所定のフォーマットの収集記録データを生成し、記憶部５７の所定の格納領域へ格納する。また、集計データ収集部５５は、当該収集した売上情報及び払出情報の集計データに関する取得要求に対する返信として、記憶部５７からこの取得要求時点で収集されている売上情報及び払出情報の集計データを読み出し、通信制御部５２の制御により返信する。
【００７５】
サービス設定部５６は、中央制御部５１の制御下で、図示しない操作部から操作者の指示を受け付け、対応するデータ集計装置１に対し上述したサービス情報を設定するよう指示するサービス設定処理を実行し、通信制御部５２の制御により対応するデータ集計装置１に通知する。
【００７６】
外部メディア記録部５８は、中央制御部５１の制御下で、当該通信日時の情報や収集した売上情報及び払出情報の集計データについてＳＤカードなどの外部メディアに記録する。外部メディアは取り出せる構造になっている。これによりデータ収集装置５の故障などに備え、蓄積したデータをパソコンなどに移行することを可能となる。
【００７７】
外部供給電源５９は、外部のＡＣ電源を直流源に変換しデータ収集装置５の機能部へ電源供給する。
【００７８】
電池式電源６０は、外部供給電源５９の補助電源として機能し、外部供給電源５９による電源供給が遮断された時に、一定時間電源を供給する。これにより、電池式として、電源供給の断絶リスクを低減することが可能となる。
【００７９】
（データ収集システムの動作例）
次に、このように構成される本実施形態のデータ収集システム１０の一動作例について説明する。図５は、本実施形態のデータ収集システム１０の動作例を示すフローチャートである。
【００８０】
遊戯機１００‐Ｎに設置されているデータ集計装置１は、売上情報集計部１３及び払出情報集計部１４により、遊戯機１００‐Ｎにおける売上情報及び払出情報に変化が有るたびに自動的に集計しデータ集計装置１内で記録する（ステップＳ１）。
【００８１】
データ集計装置１は、接続監視部１６により、遊戯機制御装置１０１における制御部１０２と入出力部１２との物理的な接続が維持されているか否かを監視し（ステップＳ２）、この接続の解除を検知した場合には（ステップＳ２：Ｙｅｓ）、その日時（日付だけでもよい）の情報を接続解除情報としてデータ集計装置１内で記録する（ステップＳ３）。このとき、接続監視部１６は、当該接続の解除を検知した場合には（ステップＳ２：Ｙｅｓ）、直ちに、通信ユニット１ｂを経て中継機３又は店舗用移動端末２、或いはデータ収集装置５へその接続解除情報を通知する。接続の解除を検知しない場合には（ステップＳ２：Ｎｏ）、ステップＳ１へ移行する。
【００８２】
一方、データ収集装置５は、例えば中継機３経由のマルチホップ通信を経て、全てのデータ集計装置１、或いは指定するデータ集計装置１に対し、集計データ収集要求を発行する（ステップＳ４）。
【００８３】
集計データ収集要求を中継伝送する中継機３は、通信履歴記録部３６により、その通信日時（日付のみでもよい）の履歴を中継機３内で記録するとともに、外部メディア記録部３８を機能させてＳＤカードなどの外部メディアに記録する（ステップＳ５）。
【００８４】
また、当該集計データ収集要求を受け付けたデータ集計装置１は、データ集計装置１内で記録している集計データ（集計した売上情報及び払出情報）を中央制御部１１の制御下で読み出し、当該通信確立している中継機３経由でデータ収集装置５へ返信する（ステップＳ６）。
【００８５】
集計データ収集要求を中継伝送する中継機３は、通信履歴記録部３６により、中継伝送する集計データ（集計した売上情報及び払出情報）を中継機３内で記録するとともに、外部メディア記録部３８を機能させてＳＤカードなどの外部メディアに記録する（ステップＳ７）。
【００８６】
集計データ（集計した売上情報及び払出情報）を取得したデータ収集装置５は、集計データ収集部５５により収集し、データ収集装置５内で記録するとともに、外部メディア記録部５８を機能させてＳＤカードなどの外部メディアに記録する（ステップＳ８）。
【００８７】
一方、店舗用移動端末２は、例えばネットワーク７経由の回線網通信を経て、データ収集装置５に対し、収集データ取得要求を行う収集データ取得処理を実行する。この収集データ取得処理は、店舗用移動端末２に設けられる専用アプリケーションで実行され、操作者の操作により、或いは定期的な自動制御により実行される（ステップＳ９）。尚、この専用アプリケーションの実行による収集データ取得処理は、認証・検証を含む。また、この収集データ取得要求は、収集した全てのデータ集計装置１に対する集計データでもよいし、指定するデータ集計装置１に対する集計データでもよいように選択できるよう構成するのが便利である。このとき、データ収集装置５は、当該店舗用移動端末２からの収集データ取得要求を受け付け、対応する集計データを当該店舗用移動端末２へ返信する。
【００８８】
一方、店舗用移動端末２は、例えば直接的な通信で、或いは中継機３経由のマルチホップ通信を経て、特定のデータ集計装置１に対し、集計データ取得要求を行う集計データ取得処理を実行する。この集計データ取得処理は、店舗用移動端末２に設けられる専用アプリケーションで実行され、操作者の操作により、或いは定期的な自動制御により実行される（ステップＳ１０）。尚、この専用アプリケーションの実行による集計データ取得処理は、認証・検証を含む。このとき、データ集計装置１は、当該店舗用移動端末２からの集計データ取得要求を受け付け、集計データ（集計した売上情報及び払出情報）を当該店舗用移動端末２へ返信する（ステップＳ１１）。
【００８９】
一方、データ収集装置５は、サービス設定部５６により、例えば中継機３経由のマルチホップ通信を経て、指定するデータ集計装置１に対し、上述したサービス情報の設定に関するサービス設定処理の実行する（ステップＳ１２）。
【００９０】
サービス設定の旨を受け付けたデータ集計装置１は、サービス告知処理部１８により、サービス告知処理の実行し、当該サービス情報の受け付けを許容するユーザ用移動端末４に告知する（ステップＳ１３）。ユーザ用移動端末４は、当該サービス情報の受け付けを許容する専用アプリケーションで実行され、この専用アプリケーションの実行時に認証・検証が実行される。
【００９１】
以上のように、本実施形態のデータ集計装置１は、店舗内に設置された遊戯機１００‐Ｎ毎に、所定の売上情報及び払出情報を集計する装置として構成され、本体ユニット１ａは、遊戯機１００‐Ｎの筐体内に設置され、該遊戯機１００‐Ｎにおける売上情報及び払出情報を集計し、一方、通信ユニット１ｂは、遊戯機１００‐Ｎの筐体外に設置されるとともに本体ユニット１ａに対し電気的に接続され、当該集計した売上情報及び払出情報を前記店舗内の所定の通信機器（データ収集装置５又は店舗用移動端末２）へ無線通信により送信するようにした。
【００９２】
このように通信ユニット１ｂを遊戯機１００‐Ｎの筐体の外に出すようにしたため、電波遮蔽の回避を抑制できる。また、景品払出時に、店舗用移動端末２を持つ店舗従業員ヘ景品の払出があったことを直ちに知らせることができる。
【００９３】
特に、本実施形態のデータ集計装置１では、本体ユニット１ａに設けられる全ての回路の動作周波数が、通信ユニット１ｂにおける無線通信のための高周波回路の動作周波数より低いものとした。これにより、本体ユニット１ａの配線やその接続に用いるコネクタには汎用品を使用することが可能となり、廉価なデータ集計装置１を構成することが可能となる。
【００９４】
また、本実施形態のデータ集計装置１では、本体ユニット１ａは内蔵する電池式電源１９により電源供給されるとともに、通信ユニット１ｂが該電池式電源１９により電源供給されるように構成した。電源供給の断絶リスクを低減することが可能となる。
【００９５】
また、本実施形態のデータ集計装置１では、本体ユニット１ａは、遊戯機１００‐Ｎの筐体内にて、遊戯機１００‐Ｎの制御部１０２と着脱可能に接続する入出力部１２と、入出力部１２における接続状態を監視する接続監視部１６と、接続監視部１６による接続状態の監視を経て、当該接続の解除を検知した際に記憶部１７にその旨を記録するか、又は通信ユニット１ｂを経て店舗内の所定の通信機器（データ収集装置５又は店舗用移動端末２）へ無線通信により送信するよう制御する構成とした。
【００９６】
このように、遊戯機１００‐Ｎからデータ集計装置１を取り外した日時（日付のみでもよい）を記録保持することで、遊戯機１００‐Ｎからデータ集計装置１を取り外し、本システム上で或る遊戯機１００‐Ｎの売上が無い状態に見せ掛け、その間の売上を搾取するなどの不正行為を予防することが可能となる。尚、当該接続の解除の検知方法としては、例えばデータ集計装置１の入出力部１２（コネクタ）を取り外した時の通常とは異なる誤差信号を検出する方法や、電気的な接続が絶たれたときにフラグが立つような検知回路を設ける方法などがある。
【００９７】
また、本実施形態のデータ集計装置１では、本体ユニット１ａは、設置される当該遊戯機１００‐Ｎに関するサービス情報について、通信ユニット１ｂを経て、当該遊戯機１００‐Ｎを利用可能なユーザが管理するユーザ用移動端末４に告知するよう制御する機能を設けることができる。これにより、例えば遊戯機１００‐Ｎ近辺を通り係る当該利用者のプレイを促進するような客寄せ機能を持つものとなる。
【００９８】
更に、本実施形態のデータ収集装置５は、本実施形態のデータ集計装置１から無線通信を経て当該集計された売上情報及び払出情報を収集する装置として構成され、データ集計装置１から無線通信を経て遊戯機毎に当該集計された売上情報及び払出情報のデータを収集する機能と、外部供給電源３９と、外部供給電源３９が断絶した際に、一定期間、電源供給を行う電池式電源４０と、当該遊戯機１００‐Ｎ毎の収集したデータを記録しておくための常設の記憶部５７と、記憶部３７及び着脱可能な外部メディアに当該遊戯機１００‐Ｎ毎の収集したデータを記録するよう制御する外部メディア記録部５８と、を備えるようにした。これにより、電源供給が断絶するリスクを低減し、蓄積したデータをＳＤカードなどの外部メディアに記録することができ、その保全性を高めることができる。
【００９９】
更に、本実施形態のデータ集計システム１０は、店舗内に設置された遊戯機１００‐Ｎ毎に、所定の売上情報及び払出情報を集計し収集するシステムとして構成され、データ集計装置１と、データ収集装置５と、データ集計装置１により集計した売上情報及び払出情報をマルチホップ通信でデータ収集装置５へ中継する中継機３と、を備えるよう構成した。このマルチホップ通信により、中継機３は、他の中継機３と複数の通信路を構成するようになるため、電波状態の悪化などにより、一時的に無線通信ができなくなる場合でも、通信経路を確保できる。
【０１００】
また、本実施形態のデータ集計システム１０では、中継機３は、当該集計した売上情報及び払出情報の中継を行う度に、当該集計した売上情報及び払出情報を記録しておくための常設の記憶部３７と、記憶部３７、及び着脱可能な外部メディアに該当該集計した売上情報及び払出情報を記録するよう制御する外部メディア記録部３８と、を備えるよう構成した。これにより、電源供給が断絶するリスクを低減し、蓄積したデータをＳＤカードなどの外部メディアに記録することができ、その保全性を高めることができる。
【０１０１】
以上、特定の実施形態の例を挙げて本発明を説明したが、本発明は前述の実施形態の例に限定されるものではなく、その技術思想を逸脱しない範囲で種々変形可能である。例えば、本発明に係るデータ収集システム１０において、１台の遊戯機１００‐Ｎに複数のデータ集計装置１を設けることや、複数のデータ収集装置５を設けてもよい。
【産業上の利用可能性】
【０１０２】
本発明によれば、電波でデータ通信を行い所定の売上情報及び払出情報を集計するデータ集計装置を設置場所が制限されず低廉化が可能となる態様で遊戯機へ設置できるので、遊戯機のデータ集計を要する用途に有用である。
【符号の説明】
【０１０３】
１  データ集計装置
１ａ  本体ユニット
１ｂ  通信ユニット
２  店舗用移動端末
３  中継機
４  ユーザ用移動端末
５  データ収集装置
７  ネットワーク
１１  中央制御部
１２  入出力部
１３  売上情報集計部
１４  払出情報集計部
１５  ＩＦ部
１６  接続監視部
１７  記憶部
１８  サービス告知処理部
１９  電池式電源
２１  中央制御部
２２  通信制御部
２３  近距離通信部
２４  回線網通信部
２５  ＩＦ部
２６  記憶部
３１  中央制御部
３２  通信制御部
３３  回線網通信部
３４  マルチホップ通信制御部
３５  近距離通信部
３６  通信履歴記録部
３７  記憶部
３８  外部メディア記録部
３９  外部供給電源
４０  電池式電源
５１  中央制御部
５２  通信制御部
５３  回線網通信部
５４  近距離通信部
５５  集計データ収集部
５６  サービス設定部
５７  記憶部
５８  外部メディア記録部
５９  外部供給電源
６０  電池式電源
１００‐１，１００‐２，１００‐Ｎ  遊戯機
１０１  遊戯機制御装置
１０２  制御部
１０３  課金機構
１０４  払出機構
【図１】
0006523206.tif 000002
【図２】
0006523206.tif 000003
【図３】
0006523206.tif 000004
【図４】
0006523206.tif 000005
【図５】
0006523206.tif 000006